(57)【要約】【課題】眼科装置の遠隔操作による検眼の効率を高める。【解決手段】眼科装置１００の遠隔操作を行う操作インターフェース部３０３と、眼科装置１００に対する被検者の頭部の位置が適正か否かを判定する判定部３０５と、前記判定に基づき、検者への報知を行う報知信号生成部３０６とを備える眼科装置の遠隔操作端末３００。【選択図】図２
2019165991.tif 000002
【特許請求の範囲】
【請求項１】
眼科装置の遠隔操作を行う操作インターフェースと、
前記眼科装置に対する被検者の頭部の位置が適正か否かを判定する判定部と、
前記判定に基づき、検者への報知を行う報知部と
を備える眼科装置の操作端末。
【請求項２】
前記報知が被検者の過去における前記報知の記録に基づいて行われる請求項１に記載の眼科装置の操作端末。
【請求項３】
前記被検者のあごを載せるあご載せ台への前記あごの接触を検出する第１のセンサの出力と、前記被検者の額を当てる額当てへの前記額の接触を検出する第２のセンサの出力とを受け付ける通信部を備え、
前記判定は、前記第１のセンサの出力および前記第２のセンサの出力の有無に基づいて行われる請求項１または２に記載の眼科装置の操作端末。
【請求項４】
前記判定部は、前記第１のセンサと前記第２のセンサの出力に基づき、前記被検者の前記頭部の位置が適正であると判定された場合であっても、前記対物レンズを介して撮影した画像中における前記被検眼の瞳の位置が予め定めた位置にない場合に、検眼を行うのに適正でないと判定する請求項３に記載の眼科装置の操作端末。
【請求項５】
遠隔操作の対象となる眼科装置が複数あり、
前記通信部は、前記第１のセンサの出力と前記第２のセンサの出力と共に前記第１のセンサおよび前記第２のセンサを備える特定の眼科装置の識別データを受け付け、
前記識別データに基づき、前記特定の眼科装置が前記遠隔操作の対象として自動設定される請求項３または４に記載の眼科装置の操作端末。
【請求項６】
眼科装置に対する被検者の顔の位置を検出するセンサの出力を受け付けるステップと、
前記センサの出力に基づき、前記眼科装置に対する被検者の頭部の位置が適正か否かを判定する判定ステップ
前記判定に基づき、検者への報知を行う報知ステップと
を備える眼科検査の方法。
【請求項７】
コンピュータに読み取らせて実行させるプログラムであって、
コンピュータに
眼科装置に対する被検者の顔の位置を検出するセンサの出力を受け付けるステップと、
前記センサの出力に基づき、前記眼科装置に対する被検者の頭部の位置が適正か否かを判定する判定ステップ
前記判定に基づき、検者への報知を行う報知ステップと
を実行させるプログラム。
【発明の詳細な説明】
【技術分野】
【０００１】
本発明は、自動による検眼が可能な眼科装置に関する。
【背景技術】
【０００２】
例えば、眼底画像から動脈硬化に関する診断が可能である。これを利用すると、動脈硬化に係る症状が懸念される患者が定期的に眼底の撮影を行い、その画像を見て医師が経過観察を行う形態が可能となる。
【０００３】
ここで、眼科装置の遠隔操作が可能であると、一人の検者による複数人の同時検査が可能となる。特許文献１には、眼科装置をタブレットで遠隔する技術が記載されている。
【先行技術文献】
【特許文献】
【０００４】
【特許文献１】特開２００７−２９３６９号公報
【発明の概要】
【発明が解決しようとする課題】
【０００５】
眼科装置の遠隔操作においても、被検者が決められた椅子に座る、顔や体を特定の方向に向ける、台にあごを載せる、特定のタイミングでスタートボタンを押す、といった作業は被検者自身が行う必要がある。これらのことが適切に行われていないと、遠隔操作による検眼に支障が発生し、検査の効率が低下する。
【０００６】
ここで、一人の検者による複数人の被検者に対する同時検査を行う場合、眼科装置の自動化できる操作や被検者自身が自ら行う操作は極力行い、検者の負担を極力少なくすることが望まれる。しかしながら、上述した被検者自身が行なわなくてはならない作業の出来不出来は個人差が大きく、結果が安定しない。これが眼科装置の遠隔操作による検眼の普及を阻む要因となっていた。
【０００７】
このような背景において、本発明は、眼科装置の遠隔操作による検眼の効率を高める技術の提供を目的とする。
【課題を解決するための手段】
【０００８】
本発明は、眼科装置の遠隔操作を行う操作インターフェースと、前記眼科装置に対する被検者の頭部の位置が適正か否かを判定する判定部と、前記判定に基づき、検者への報知を行う報知部とを備える眼科装置の操作端末である。
【０００９】
本発明において、報知が被検者の過去における報知の記録に基づいて行われることは好ましい。本発明において、被検者のあごを載せるあご載せ台へのあごの接触を検出する第１のセンサの出力と、被検者の額を当てる額当てへの額の接触を検出する第２のセンサの出力とを受け付ける通信部を備え、前記判定は、第１のセンサの出力および第２のセンサの出力の有無に基づいて行われる態様は好ましい。
【００１０】
本発明において、判定部は、第１のセンサと第２のセンサの出力に基づき、被検者の頭部の位置が適正であると判定された場合であっても、当該眼科装置の対物レンズを介して撮影した画像中における被検眼の瞳の位置が予め定めた位置にない場合に、検眼を行うのに適正でないと判定する態様は好ましい。
【００１１】
本発明において、遠隔操作の対象となる眼科装置が複数あり、通信部は、第１のセンサの出力と第２のセンサの出力と共に第１のセンサおよび第２のセンサを備える特定の眼科装置の識別データを受け付け、この識別データに基づき、前記特定の眼科装置が遠隔操作の対象として自動設定される態様は好ましい。
【００１２】
本発明は、方法の発明およびプログラムの発明として把握することができる。すなわち、本発明は、眼科装置に対する被検者の顔の位置を検出するセンサの出力を受け付けるステップと、前記センサの出力に基づき、前記眼科装置に対する被検者の頭部の位置が適正か否かを判定する判定ステップと、前記判定に基づき、検者への報知を行う報知ステップとを備える眼科検査の方法として把握できる。
【００１３】
また本発明は、コンピュータに読み取らせて実行させるプログラムであって、コンピュータに眼科装置に対する被検者の顔の位置を検出するセンサの出力を受け付けるステップと、前記センサの出力に基づき、前記眼科装置に対する被検者の頭部の位置が適正か否かを判定する判定ステップと、前記判定に基づき、検者への報知を行う報知ステップとを実行させるプログラムとして把握できる。
【図面の簡単な説明】
【００１４】
【図１】実施形態の眼科装置の斜視図である。
【図２】実施形態のブロック図である。
【図３】処理の手順の一例を示すフローチャートである。
【図４】遠隔操作用端末３００と眼科装置１００の位置関係の一例を示す図である。
【発明を実施するための形態】
【００１５】
（眼科装置）
図１には、眼科装置１００が示されている。眼科装置１００は、眼底画像の撮影、眼底（後眼部）および前眼部のＯＣＴ画像を撮影する機能を有する。この例では、画像の基となる測定データは、遠隔操作用端末３００（図２参照）に送られ、そこで眼底撮影画像や眼底のＯＣＴ画像といった診断画像が生成される。また、遠隔操作端末３００を用いた眼科装置１００の遠隔操作が可能である。眼科装置１００としては、本実施形態の場合に限定されず、ＳＬＯ(Scanning Laser Ophthalmoscope)やＯＣＴＡ（OCT angiography）であってもよい。また、複数の機能を複合化した眼科装置、例えば、ＯＣＴとＳＬＯを複合化した眼科装置であってよい。
【００１６】
眼科装置１００は、本体１０１を備える。本体１０１には、あご載せ台支持部１０２が固定されている。あご載せ台支持部１０２は、被検者のあごを載せるあご載せ台１０３を備えている。あご載せ台１０３は、電動による上下動が可能である。あご載せ台１０３には、被検者のあごがあご載せ台１０３に載ったか否かを判定するためのセンサであるあご受け検出センサ（図２の符号２０１）が内蔵されている。この例では、あご受け検出センサ２０１として圧力センサが利用されている。あご載せ台１０３にあごが載せられ、上方から圧力が加わると、あご受け検出センサ２０１から検知信号が出力される。
【００１７】
あご載せ台支持部１０２には、被検者の顔の位置決めに利用される枠構造１０５が固定されている。枠構造１０５の上部には、被検者の額を当てる額当て部１０６が設けられている。額当て部１０６には、圧力センサにより構成される額当て検出センサ（図２の符号２０２）が内蔵されている。額当て部１０６に額が当てられ、額当て部１０６に水平方向の圧力が加えられると、額当て検出センサ２０２から検知信号が出力される。
【００１８】
あご受け検出センサ２０１と額当て検出センサ２０２は、眼科装置に対する被検者の頭（顔）の位置が適正であるか否かに係る情報を検出する手段である。この手段としてカメラを用いることもできる。この場合、撮影した画像を解析することで、眼科装置に対する被検者の頭部の位置を検出する。また、眼科装置に対する被検者の頭部の位置が適切であるか否かに係る情報を検出する手段として、光センサを用いることもできる。この場合、複数の光センサにより、被検者の頭部の位置が眼科装置に対して適正な位置にあるか否かの情報が取得される。
【００１９】
あご載せ台支持部１０２には、あご載せ台１０３を上下に移動させるモータが内蔵されている。このモータの制御は、自動あるいはマニュアル操作により行われる。マニュアル操作の場合、操作インターフェース部２０７あるいは遠隔操作用端末３００（図２参照）の操作インターフェース部３０３が操作される。
【００２０】
操作インターフェース部２０７は、タッチパネルディスプレイであり、ＧＵＩ（グラフィカル・ユーザ・インターフェース）を利用した眼科装置１００の操作が可能である。また、操作インターフェース部２０７のディスプレイには、撮影した眼底画像やＯＣＴ画像が表示可能である。これらの点は、遠隔操作用端末３００（図２参照）の操作インターフェース部３０３についても同じである。
【００２１】
また、操作インターフェース部２０７は、音声出力機能（スピーカ）と音声入力機能（マイク）を備え、被検者が遠隔地にいる検者と会話ができるようにされている。操作インターフェース部２０７は、後述するステップＳ１０４，Ｓ１０８，Ｓ１１１の検者への報知を行う報知部として機能する。報知は、画像表示で行なわれる。この報知の際、報知音の出力や点滅表示を併用してもよい
【００２２】
本体１０１は、可動部１０４を備えている。可動部１０４は、本体１０１に対して水平方向（被検眼に対して前後左右方向）に移動する。この移動は、可動部１０４に内蔵したモータにより行われる。可動部１０４は、アライメント用の画像を得るカメラ、眼底画像を得るカメラ、ＯＣＴ画像を得るための光学系、照明光学系、固視票やアライメント光を照射するための光学系を備える。これらの構成は、通常の眼科装置と同じである。
【００２３】
可動部１０４には、上述した操作インターフェース部２０７が固定されている。可動部１０４は、眼科装置１００の光学系の一部である対物レンズ１０７を備えている。対物レンズ１０７は、眼科装置１００が備える各種の光学系の対物レンズである。なお、眼科装置１００は、各種の光学系を備えるが、これらは一部が共用され、最終的に対物レンズを介して、被検眼に各種の光が照射され、また対物レンズを介して眼科装置１００内に被検眼からの反射光が取り込まれる。可動部１０４内の光学系の詳細は、既知の製品と同じであるので、詳細な説明は省略する。
【００２４】
（眼科装置側の制御系）
図２には、眼科装置１００の制御系２００が示されている。制御系２００は、ＣＰＵ、メモリ回路、インターフェース回路等の各種の電子回路を含むコンピュータにより構成されている。制御系の一部または全部を専用のハードウェアで構成してもよい。
【００２５】
制御系２００には、あご受け検出センサ２０１と額当て検出センサ２０２の出力が入力される。あご受け検出センサ２０１は、圧力センサであり、あご載せ台１０３上に上方から加わる圧力を検出する。額当て検出センサ２０２は、圧力センサであり、額当て部１０６に水平方向から加わる圧力を検出する。あご受け検出センサ２０１および額当て検出センサ２０２の出力は、通信部２０８を介して、遠隔操作端末３００に送られる。
【００２６】
あご受け検出センサ２０１および額当て検出センサ２０２により、対物レンズ１０７に対する被検者の頭部の位置が適正か否かが検出される。あご受け検出センサ２０１および額当て検出センサ２０２としては、圧力センサ以外に接触の状態を検出できるセンサが採用できる。例えば、リミットスイッチを用い、あご載せ台１０３へのあごの接触、および額当て部１０６への額の接触を検出する例が挙げられる。
【００２７】
動作制御部２０６は、眼科装置１００の動作の制御を行う。眼科装置１００の制御は、自動制御、操作インターフェース２０７が操作されての手動制御、操作インターフェース３０３が操作されての遠隔手動制御により行われる。
【００２８】
操作インターフェース部２０７は、タッチパネルディスプレイを利用して構成されている。操作インターフェース部２０７を市販のタブレットやＰＣを利用して構成することもできる。
【００２９】
通信部２０８は、外部の機器との間で通信を行う。通信相手の機器は特に限定されないが、この例では、通信部２０８は、遠隔操作用端末３００と通信を行う。通信の形態は、特に限定されず、無線または有線のＬＡＮ回線、インターネット回線、その他の通信回線が利用される。
【００３０】
撮像部２０９は、被検眼の眼底撮影画像、眼底ＯＣＴ画像、前眼部ＯＣＴ画像、アライメント用の前眼部画像の撮影を行う。撮影部の構成は、公知の眼科装置と同じであるので詳しい説明は省略する。
【００３１】
（遠隔制御に係る制御系）
検者は、遠隔操作用端末３００を操作し、遠隔操作用端末３００から離れた場所に設置された眼科装置１００の遠隔操作を行う。遠隔操作用端末３００は、コンピュータであり、ＰＣやタブレットにより構成される。勿論、遠隔操作用端末３００として専用のハードウェアを用意することもできる。
【００３２】
遠隔操作用端末３００は、眼科装置１００から離れた場所で使用される。眼科装置１００と遠隔操作用端末３００との位置関係は、特に限定されず、同じ部屋内の離れた場所、異なる部屋、異なるフロアや建物、遠隔地等の場合が挙げられる。通信が可能ならば、両者の離間距離に特に限定はない。
【００３３】
遠隔操作用端末３００は、データ記憶部３０１、診断画像作成部３０２、操作インターフェース部３０３、通信部３０４、判定部３０５、報知信号生成部３０６、操作対象眼科装置選択部３０７を備える。データ記憶部３０１は、被検者の識別ＩＤ、前回の検査時におけるあご載せ台１０３の高さ位置等のアライメント情報、過去の報知信号の記録および過去の検眼内容を関連付けたデータを記憶する。
【００３４】
また、データ記憶部３０１には、眼科装置１００を用いた眼科検診時のエラー情報が被検者のＩＤファイルに紐づけて格納される。エラー情報としては、例えば、エラーの要因となる情報である「検査中に眼をつぶる」、「検査中に視線が動く」、「検査中に頭が動く」といったものが挙げられる。
【００３５】
上記のエラー情報は、被検者のＩＤが取得された場合に、検者の端末（例えば、遠隔操作用端末３００）に表示される。こうすることで、よりスムーズに検査を進めるのに有用な情報が検者に提供される。
【００３６】
診断画像作成部３０２は、眼科装置１００が取得した撮影データ（眼底画像の検出データやＯＣＴ画像の基となる干渉光のデータ）に基づき、各種の解析、眼底撮影画像やＯＣＴ画像等の診断画像の作成を行う。
【００３７】
診断画像の作成は、専用の診断画像作成用のアプリケーションソフトウェアをＣＰＵで実行することにより行われる。なお、ＦＰＧＡ等を用いて診断画像を作成するための専用の電子回路を構成することも可能である。
【００３８】
操作インターフェース部３０３は、使用するＰＣやタブレットのユーザーインターフェースを用いて構成されている。操作インターフェース部３０３の機能は、遠隔操作用端末３００を構成するＰＣに撮影用アプリケーションソフト（操作アプリケーションソフト）をインストールすることで実現されている。操作インターフェース部３０３が検者により操作されて、眼科装置１００の遠隔操作が行なわれる。
【００３９】
通信部３０４は、眼科装置１００の通信部２０８との間で通信を行う。通信部３０４は、眼科装置１００からの動作に係る信号および撮影データを受け付ける。勿論、他のデータや信号を通信部３０４で受け付けることもできる。また、通信部３０４は、眼科装置１００に眼科装置１００の操作に係る信号やデータ、例えば操作インターフェース部３０３に対して行われた検者の操作内容に関する信号やデータを眼科装置１００に送信する。また、被検者と検者は、通信部２０８と３０４を利用して双方向通話が可能である。この通話の際、互いの撮影画像のやり取り（所謂テレビ電話）も可能である。
【００４０】
判定部３０５は、遠隔操作用端末３００を操作する検者に対する眼科装置１００の遠隔操作に係る報知を行うか否かの判定を行う。この判定は、被検者の過去の検眼に係るデータ、あご受け検出センサ２０１の出力、額受け検出センサ２０２の出力、撮像部２０９が撮像した画像データの一または複数に基づき行われる。なお、判定の詳細については後述する。
【００４１】
報知信号生成部３０６は、遠隔操作用端末３００を操作して眼科装置１００の遠隔操作を行う検者に報知される、遠隔操作および被験者への助力に係る報知信号を生成する。後述するように、報知信号には、第１の報知〜第３の報知の３種類がある。各報知の内容に関しては後述する。ここで、検者に対する報知の種類は３種類であるが、３種類に限定されない。
【００４２】
操作対象眼科装置選択部３０７は、遠隔操作用端末３００が遠隔操作対象とする眼科装置の選択を行う。遠隔操作対象とする眼科装置の切り替えは、以下のようにして行われる。いま、眼科装置が複数台あり、それらを遠隔操作用端末３００が遠隔操作可能であるとする。この場合、各眼科装置は、遠隔操作用端末３００との通信時に、遠隔操作用端末３００に自身の識別データを送信する。この識別データは、被検者のＩＤデータでもよい。この識別データに基づき、遠隔操作用端末３００は、遠隔操作対象とする眼科装置を選択する。なお、遠隔操作用端末３００が遠隔操作対象とする眼科装置の数は限定されない。また、遠隔操作の対象となる複数の眼科装置の中に異なる機種の眼科装置（例えば、ＯＣＴとＳＬＯ）が含まれていてもよい。
【００４３】
（動作例１）
図３は、眼科装置１００にいる撮影を行う場合の手順一例を示すフローチャートである。ここでは、被検眼の眼底ＯＣＴ画像の撮影を行う場合を例に挙げ説明する。図５の処理を実行するためのプログラムは、適当な記憶領域に記憶され、そこから読み出されて実行される。図５の処理を実行するためのプログラムを記録媒体に記憶させ、そこから提供される形態も可能である。なお、図３には、眼科装置１００の側で実行される処理と遠隔操作端末３００の側で実行される処理の両方が記載されている。
【００４４】
図５の処理は、以下の状態を前提としている。
（１）検者は、被検者から離れた場所にいる。
（２）被検者および検者になるべく負担をかけずに眼科撮影に係る処理を実行する。
（３）必要に応じて検者によるサポートや遠隔操作用端末３００を用いた眼科装置１００の遠隔操作が可能である。
【００４５】
まず、被検者の特定を行う（ステップＳ１０１）。これは、被検者が自身のＩＤ番号を眼科装置１００の操作インターフェース部２０７に入力することで行われる。例えば、通信部２０８に電子情報の読み取りリーダーを接続し、そこに被検者が所持するＩＤカードからＩＤ情報を読み取らせる等の方法で、ＩＤ情報が操作インターフェース部２０７に入力される。
【００４６】
操作インターフェース部２０７に入力された被検者のＩＤ番号（識別番号）は、遠隔操作用端末３００に送られる。被検者のＩＤ番号を受け付けた遠隔操作用端末３００は、データ記憶部３０１から被検者の過去の検査記録を検索し、それを取得する（ステップＳ１０２）。
【００４７】
被検者の過去の検査記録を取得したら、この検査記録に基づき、検者の助力が必要であるか否かの判定が行われる（ステップＳ１０３）。この判定では、眼科装置１００または同等の眼科装置を用いた前回の検査において、後述する第２の報知が行なわれたか否か、が判定される。
【００４８】
後述するように、第２の報知は、あご載せ台１０３にあごを載せ、且つ、額当て部１０６に額を当てることができない場合に行なわれる。よって、前回の検査で第２の報知信号が生成された事実は、前回の検査で最初の段階で躓いたことを意味する。よって、今回も同様な事態が懸念され、検者の助力が必要であると判定する。この場合、第１の報知が検者に対して行なわれる。なお、過去の検査記録がない場合は、ステップＳ１０４の第１の報知処理が行なわれる。
【００４９】
ステップＳ１０４の第１の報知では、例えば、操作インターフェース部３０３に「顔の位置合わせのサポートをお願いします」等の表示が行なわれ、検者にそれを認識させる。それを見た検者は、被検者に音声通話を試み、音声によるサポートを行う。ステップＳ１０４の第１の報知を行った場合、ステップＳ１０７に進む。
【００５０】
ステップＳ１０３で「サポート必要なし」と判定された場合、眼底のＯＣＴ画像の撮影を行うための初期設定を行う（ステップＳ１０５）。この場合、遠隔操作用端末３００から眼科装置１００に上記初期設定を指示する信号が送られる。
【００５１】
ステップＳ１０５の初期設定では、過去の検査記録に基づき、あご載せ台１０３の高さ位置の調整と、可動部１０４の位置の調整が行なわれる。なお、過去の検査記録がない場合は、予め定めた設定値が採用される。
【００５２】
次に、被検者に対して、あご載せ台１０３にあごを載せ、且つ、額当て部１０６に額を当てることを促す自動音声案内を被検者に対して行う（ステップＳ１０６）。この自動音声案内を聞いて、被検者は、あご載せ台１０３にあごを載せ、また同時に額当て部１０６に額を当てる所作を行う。
【００５３】
ステップＳ１０６の後、あご受け検出センサ２０１および額受け検出センサ２０２から検知信号が出力されたら、ステップＳ１０７の判定がＯＫとなり、ステップＳ１０９に進む。ステップＳ１０６の後、予め定めた時間が経過しても、あご受け検出センサ２０１および額受け検出センサ２０２からの検知信号が出力されない場合、ステップＳ１０７の判定がＮＯとなり、第２の報知が行なわれる（ステップＳ１０８）。
【００５４】
第２の報知は、あご載せ台１０３にあごを載せ、且つ、額当て部１０６に額を当てることができない状況を検者に知らせる報知である。第２の報知により、対物レンズ１０７に対する被検者の頭部の位置が適正でない旨が検者に報知される。この報知では、操作インターフェース部３０３に、例えば「顔の位置合わせのサポートをお願いします」等の表示が行なわれる。ここでは、第２の報知内容と第１の報知内容が同じであるが、第１の報知は、過去の検査履歴に基づくものであり、第２の報知は、現在進行している状況に基づくものであるので、その意味合いは異なる。そこで、上記の違いが検者に認識できる内容の報知とすることも可能である。
【００５５】
ステップＳ１０８の第２の報知が行なわれた場合、検者は、被検者に音声通話を試み、音声によるサポートを行う。この場合、ステップＳ１０７に進む。
【００５６】
ステップＳ１０９では、前眼部撮影画像を用いた光軸の精密な位置の調整が行なわれる。この処理では、前眼部を捉えた撮影画像の中心に瞳孔がくるように、可動部１０４の左右の位置の自動調整と、あご載せ台１０３の上下位置の自動調整が行なわれる。
【００５７】
次に、前眼部撮影画像の中心に被検眼の瞳孔を位置させる調整（ステップＳ１０９の調整）ができたか否か、が判定され（ステップＳ１１０）、当該調整ができた場合は、ステップＳ１１２に進み、そうでない場合は、ステップＳ１１１に進み、第３の報知を行う。
【００５８】
第３の報知では、操作インターフェース部３０３に、例えば「前眼部のアライメンができません」等の表示が行なわれる。この状態として、例えば、被検者があご載せ台１０３にあごを載せ、且つ、額当て部１０６に額を当てることができていても、顔の向きが傾いており、撮影に支障が生じる場合等が挙げられる。
【００５９】
第３の報知により、あご受け検出センサ２０１の出力と額当て検出センサ２０２の出力からは、被検者の頭部の位置は、適正である旨は判定される（ステップＳ１０７の判定）が、より厳密に判定すると、実は適正でなかった旨が検者に知らされる。
【００６０】
ステップＳ１１１の第３の報知が行なわれた場合、検者は、被検者に音声通話を試み、音声によるサポートを行う。この場合、ステップＳ１０９に進む。ここで、検者の遠隔操作により、各種調整をやり直してもよい。
【００６１】
ステップＳ１１０の判定がＯＫとなった段階で、撮影位置のアライメント調整とピント調整を行う最適化処理を行う（ステップＳ１１２）。例えば、眼底のＯＣＴ撮影の位置の調整およびピント調整が行なわれる。
【００６２】
その後、ＯＣＴ撮影が行われ（ステップＳ１１３）、撮影データの取得（ステップＳ１１４）、更にデータの解析が行なわれ（ステップＳ１１５）、眼底ＯＣＴ画像が作成される。そして、得られた眼底ＯＣＴ画像の保存が行なわれ（ステップＳ１１６）、また、ステップＳ１１５で得た眼底ＯＣＴ画像の操作インターフェース部２０７への表示が行なわれる（ステップＳ１１７）。
【００６３】
（優位性）
ステップＳ１０３，Ｓ１０７，Ｓ１１０の判定を段階的に行うことで、検者のサポートを被検者それぞれのスキルに応じて行うことができる。すなわち、検者のサポートの必要がない状況では、自動あるいは検者に負担をかけることなく検査が進む。ここで、サポートが必要な段階を３段階で判定することで、被検者へのサポートを適切なタイミングで行なえると共に、検者の負担を抑えることができる。このため、一人の検者で複数の被検者に対応でき、複数の被検者の同時検診が可能となる。また、異なる遠隔地における検診を同時に行なうこと等も可能となる。
【００６４】
（動作例２）
遠隔操作用端末３００を用いた眼科検査は、複数の眼科装置を同時を可動させた場合にも対応できる。例えば、２台の眼科装置ＡおよびＢがあり、眼科装置Ａでは被検者ａの検査を行い、眼科装置Ｂでは被検者ｂの検査を行う場合を考える。
【００６５】
この場合、遠隔操作用端末３００は共通で、眼科装置ＡとＢのそれぞれに係り、図３の処理が行なわれる。ここで、眼科装置Ａに係り、第２の報知（ステップＳ１０８）が行なわれるとする。この場合、ステップＳ１０７の判定の基となる情報が眼科装置Ａから遠隔操作用端末３００に送られ、通信部３０４で受信される。すなわち、眼科装置Ａのあご受け検出センサ２０１と額当て検出センサ２０２の出力、更に眼科装置Ａの識別データが遠隔操作用端末３００の通信部３０４に送信される。上記の識別データに基づき、操作対象眼科装置選択部３０７は、眼科装置Ａを通話や遠隔操作の対象として自動選択する。
【００６６】
その後、眼科装置Ａを対象にステップＳ１０７の処理を行う。そして、この処理の結果がＮＯである場合に、遠隔操作用端末３００は、眼科装置Ａを対象に第２の報知処理（ステップＳ１０８）を行う。
【００６７】
この第２の報知処理の後、被検者ａへの音声サポ―トや眼科装置Ａの遠隔操作が行なわれるが、この際、遠隔操作用端末３００の遠隔操作の対象は、眼科装置Ａが自動選択されているので、音声通話や遠隔操作は、眼科装置Ａを対象に行なわれる。よって、被検者は、対象となる眼科装置を選択する操作をしなくてもよく、煩雑な操作が避けられる。これは、ステップＳ１０３やＳ１１０の判定およびその後の音声サポートや遠隔操作に関しても同じである。
【００６８】
以上述べたように、ステップＳ１０３，Ｓ１０９，Ｓ１１０の判定の基となる情報に紐付されて眼科装置の識別データが遠隔操作用端末３００に送信される。そして、それに基づき遠隔操作用端末３００は、音声サポートのための音声通信の対象および遠隔操作の対象となる眼科装置を選択する。このため、本体対象とすべきでない眼科装置に対する音声サポートや遠隔操作が行なわれる不都合が回避される。
【００６９】
（具体例）
図４には、同じ室内の離れた位置に遠隔操作用端末３００と眼科装置１００が配置された状態の一例を示す。図４には、眼科装置１００から離れた位置に医師（検者）３５０の机４００があり、その机４００の上に電子カルテのソフトウェアがインストールされ、また診断画像の表示、その他作業を行うためのＰＣ（パーソナルコンピュータ）４１０が置かれている。図４の例では、ＰＣ４１０が遠隔操作用端末３００を兼ねている。医師３５０は、ＰＣ４１０を操作して眼科装置１００をコントロール可能である。
【００７０】
この場合、例えば、医師３５０がＰＣ４１０に向い、電子カルテに被検者から聞いた症状や所見の記入を行いつつ、その状態で図３の手順に従って、眼科装置１００を用いた被検者３６０の眼科検査が行なわれる。この際、第１〜第３の報知処理があれば、医師３５０は適宜眼科装置１００の操作や被検者３６０のサポートを行う。報知処理がなければ、被検者３６０のセルフ検眼が進み、医師３５０の負担が大きく軽減され、また診察時間が短縮される。この場合、医師３５０が眼科装置１００を操作する負担が減るので、その分、診察に集中できる。
【００７１】
（その他）
眼科装置１００とあご載せ台１０３にあごを載せた被検者が撮影するカメラを用意し、このカメラの撮影画像を、操作インターフェース部３０３のディスプレイに表示できるようにしてもよい。このカメラの撮影画像を利用することで、第１〜第３の報知を受けた後の検者による被検者のサポートがより容易となる。
【符号の説明】
【００７２】
１００…眼科装置、１０１…本体、１０２…あご載せ台支持部、１０３…あご載せ台、１０４…可動部、１０５…枠構造、１０６…額当て部、１０７…対物レンズ、２０７…操作インターフェース部、３５０…医師（検者）、３６０…被検者、４００…机、４１０…ＰＣ（遠隔操作用端末）。
【図１】
2019165991.tif 000003
【図２】
2019165991.tif 000004
【図３】
2019165991.tif 000005
【図４】
2019165991.tif 000006